(57)【要約】【課題】  ユーザが入力しなくてもコンテンツを視聴しているだけでコンテンツの評価が可能なコンテンツ評価装置及びコンテンツ評価方法を提供する。【解決手段】  ユーザによるコンテンツの評価を出力するコンテンツ評価装置であって、コンテンツの音声又は映像を出力するコンテンツ出力部１２と、コンテンツ出力部１２により出力されたコンテンツを視聴するユーザの状態を示すデータを取得するデータ取得部１３と、データ取得部１３により取得されたデータに基づいてユーザが笑っている状態であるか否かを判定する笑い判定部１４と、笑い判定部１４により笑っている状態であると判定された回数又は長さの少なくとも一方をカウントする笑いカウント部１５と、笑いカウント部１５によりカウントされた結果を、ユーザによるコンテンツの評価として出力する評価出力部１６とを備える。【選択図】図１
2011215895.tif 000002
【特許請求の範囲】
【請求項１】
ユーザによるコンテンツの評価を出力するコンテンツ評価装置であって、
前記コンテンツの音声又は映像を出力する出力手段と、
前記出力手段により出力されたコンテンツを視聴する前記ユーザの状態を示すデータを取得するデータ取得手段と、
前記データ取得手段により取得された前記データに基づいて前記ユーザが所定の反応状態であるか否かを判定する判定手段と、
前記判定手段により前記反応状態であると判定された回数又は長さの少なくとも一方をカウントするカウント手段と、
前記カウント手段よりカウントされた結果を、前記ユーザによる前記コンテンツの前記評価として出力する評価出力手段と、
を備えるコンテンツ評価装置。
【請求項２】
前記カウント手段は、前記反応状態であると判定された回数又は長さの少なくとも一方をカウントするとともに、カウントしたタイミングを検出して、
前記評価出力手段は、前記カウント手段により検出された結果を前記評価として出力する、請求項１に記載の評価装置。
【請求項３】
前記取得手段は、音声取得装置である、請求項１又は２に記載の評価装置。
【請求項４】
前記取得手段は、撮影装置である、請求項１又は２に記載の評価装置。
【請求項５】
前記反応状態は、笑っている状態である、請求項１〜４のいずれか一項に記載の評価装置。
【請求項６】
ユーザによるコンテンツの評価を出力するコンテンツ評価方法であって、
前記コンテンツの音声又は映像を出力する出力ステップと、
前記出力ステップにおいて出力された前記コンテンツを視聴する前記ユーザの状態を示すデータを取得するデータ取得ステップと、
前記データ取得ステップにおいて取得された前記データに基づいて前記ユーザが所定の反応状態であるか否かを判定する判定ステップと、
前記判定ステップにおいて前記反応状態であると判定された回数又は長さの少なくとも一方をカウントするカウントステップと、
前記カウントステップにおいてカウントされた結果を、前記ユーザによる前記評価として出力する評価出力ステップと、
を含むコンテンツ評価方法。
【発明の詳細な説明】
【技術分野】
【０００１】
本発明は、コンテンツ評価装置及びコンテンツ評価方法に関する。
【背景技術】
【０００２】
従来から、複数のユーザ間で動画を共有できる動画共有サイト、又はユーザがコメントを自由に投稿できる口コミサイトなどにおいて、これらのサイトを閲覧するユーザは、サイト内の動画やコメントに対して評価を投稿できる。そして既に、この評価の利便性や信憑性の向上を図ったコンテンツ評価方法が存在する。例えば、下記特許文献１には、電子掲示板に投稿されたコンテンツのランク付けを、投票者による投票結果に基づいて行う技術が記載されている。この電子掲示板は、認証された投票者のみに対して、投票するコンテンツの選択や、該コンテンツに対する評価の入力などを受け付ける。ここで投票者は、ウェブサイトの閲覧者の評価に基づいてランクが決定されており、このランクに応じて、各投票者による投票点が重み付けされることによって、ランク付けの信憑性を高めている。
【先行技術文献】
【特許文献】
【０００３】
【特許文献１】特開２００４−１３９３４３号公報
【発明の概要】
【発明が解決しようとする課題】
【０００４】
しかしながら、現在、コンテンツの評価は、ユーザが自ら能動的に入力する必要がある。このためユーザは、コンテンツを評価する際に手間がかかる。
【０００５】
本発明は、上記課題を解決するためになされたものであり、ユーザが入力しなくてもコンテンツを視聴しているだけでコンテンツの評価が可能なコンテンツ評価装置及びコンテンツ評価方法を提供することを目的とする。
【課題を解決するための手段】
【０００６】
上記課題を解決するため、本発明は、ユーザによるコンテンツの評価を出力するコンテンツ評価装置であって、コンテンツの音声又は映像を出力する出力手段と、出力手段において出力されたコンテンツを視聴するユーザの状態を示すデータを取得するデータ取得手段と、データ取得手段により取得されたデータに基づいてユーザが所定の反応状態であるか否かを判定する判定手段と、判定手段により反応状態であると判定された回数又は長さの少なくとも一方をカウントするカウント手段と、カウント手段によりカウントされた結果を、ユーザによるコンテンツの評価として出力する評価出力手段と、を備える。
【０００７】
本発明は、コンテンツを視聴するユーザの状態を示すデータを取得し、該データに基づいてユーザが所定の反応状態であるか否かを判定し、反応状態と判定された回数又は長さの少なくとも一方をカウントし、カウントされた結果をユーザによるコンテンツの評価として出力する。従って、コンテンツを視聴するユーザの状態を示すデータに基づいて、ユーザによるコンテンツの評価を自動的に出力できる。このため、ユーザは入力しなくてもコンテンツを視聴しているだけでコンテンツの評価ができる。
【０００８】
また、カウント手段は、反応状態であると判定された回数又は長さの少なくとも一方をカウントするとともに、カウントしたタイミングを検出して、評価出力手段は、カウント手段により検出された結果を評価として出力することが望ましい。この場合、ユーザが視聴したコンテンツのどの部分が面白いかを自動的に出力できる。
【０００９】
取得手段は、音声取得装置であることが望ましい。この場合、コンテンツ視聴時の音声データに基づいて、ユーザによるコンテンツの評価を自動的に出力できる。
【００１０】
取得手段は、撮影装置であることが望ましい。この場合、コンテンツ視聴時の映像データに基づいて、ユーザによるコンテンツの評価を自動的に出力できる。
【００１１】
反応状態は、笑っている状態であることが望ましい。この場合、コンテンツ視聴時にユーザがどの程度笑ったかをカウントすることで、該コンテンツがユーザにとってどのくらい面白かったかを自動的に出力できる。
【００１２】
ところで、本発明は、上記のようにコンテンツ評価装置の発明として記述できる他に、以下のようにコンテンツ評価方法の発明としても記述することができる。これはカテゴリが異なるだけで、実質的に同一の発明であり、同様の作用及び効果を奏する。
【００１３】
即ち、本発明に係るコンテンツ評価方法は、ユーザによるコンテンツの評価を出力するコンテンツ評価方法であって、コンテンツの音声又は映像を出力する出力ステップと、出力ステップにおいて出力されたコンテンツを視聴するユーザの状態を示すデータを取得するデータ取得ステップと、データ取得ステップにおいて取得されたデータに基づいてユーザが所定の反応状態であるか否かを判定する判定ステップと、判定ステップにおいて反応状態と判定された回数又は長さの少なくとも一方をカウントするカウントステップと、カウントステップにおいてカウントされた結果を、ユーザによるコンテンツの評価として出力する評価出力ステップと、を含む。
【発明の効果】
【００１４】
本発明によれば、コンテンツを視聴するユーザの状態を示すデータに基づいて、該コンテンツに対するユーザの評価を自動的に出力できる。このため、ユーザは入力しなくてもコンテンツを視聴しているだけでコンテンツの評価ができる。
【図面の簡単な説明】
【００１５】
【図１】実施形態に係るハードウェア構成を示す図である。
【図２】図１に示すコンテンツ評価装置のハードウェア構成を示す図である。
【図３】ユーザによるコンテンツ評価をコンテンツ再生画面に表示する例を示す図である。
【図４】図１に示すコンテンツ評価装置の処理を示すフローチャートである。
【図５】コンテンツを視聴しているユーザと、他のユーザが笑ったタイミングをコンテンツ再生画面に表示する例を示す図である。
【発明を実施するための形態】
【００１６】
以下、図面と共に本発明に係るコンテンツ評価装置及びコンテンツ評価方法の好適な実施形態について詳細に説明する。なお、図面の説明においては同一要素には、同一符号を付し、重複する説明を省略する。
【００１７】
図１には、本実施形態のハードウェア構成図を示す。図１に示すように、本発明に係るコンテンツ評価装置１０は、インターネット通信網や移動通信網等により構成されているネットワークＮを介してサーバＳ(ウェブサーバ)と互いに通信可能となっている。ユーザの操作によりサーバＳ内の任意のコンテンツが選択されると、コンテンツ評価装置１０は、サーバＳにそのコンテンツの配信を要求する。そして、ユーザによるコンテンツ評価の終了後に、コンテンツ評価装置１０はそのコンテンツ評価をサーバＳに送信する。
【００１８】
一方、サーバＳはコンテンツ評価装置１０からの配信要求に基づき、要求されたコンテンツをコンテンツ評価装置１０に配信する。そして、ユーザによるコンテンツ評価の終了後に、コンテンツ評価装置１０にから送信されたコンテンツ評価を受信する。各コンテンツには、これまで受信したコンテンツ評価が評価データとして蓄積されており、コンテンツ評価装置１０からのコンテンツの配信要求があると、サーバＳはそのコンテンツとともに評価データも併せて配信する。評価データは、他のユーザによるこれまでのコンテンツ評価を含む情報である。この情報は、具体的には、コンテンツを視聴してユーザが笑った回数及びコンテンツにおけるユーザの笑いのタイミングを示す情報である。なお、コンテンツは、本実施形態において、コンテンツは音声データ及び映像データの両方を含むものであるとする。なお、音声データ及び映像データが一体となった動画データでよい。またコンテンツ評価装置１０は、音声データや映像のデータをサーバＳからダウンロードしながらリアルタイムでストリーミング再生するものとする。
【００１９】
続いて、コンテンツ評価装置１０について説明する。コンテンツ評価装置１０は、サーバＳから受信したコンテンツの音声データ及び映像データを出力する機能を備え、そのコンテンツを視聴するユーザの状態に基づいて、ユーザによるコンテンツの評価を自動的に出力する装置である。コンテンツ評価装置１０の例としては動画再生機能、撮影機能及び録音機能を備えた情報端末や通信端末などが挙げられるが、コンテンツ評価装置１０の種類はこれらに限定されない。図１に示すように、コンテンツ評価装置１０は、機能的構成要素としてコンテンツ取得部１１、コンテンツ出力部１２、データ取得部１３、笑い判定部１４、笑いカウント部１５、評価出力部１６を備えている。
【００２０】
図２にコンテンツ評価装置１０のハードウェア構成を示す。図２に示すように、コンテンツ評価装置１０は、ＣＰＵ１０１、ＲＡＭ１０２、ＲＯＭ１０３、データ通信を行う通信制御部１０４、文字入力用のキーで構成される操作部１０５及びスピーカーやディスプレイなどの出力部１０６を含むものとして構成される。これらの構成要素がプログラムなどにより動作することにより、上述したコンテンツ評価装置１０の機能が発揮される。
【００２１】
コンテンツ取得部１１は、ユーザにより選択されたサーバ内の任意のコンテンツの音声データ及び映像データをダウンロードする手段である。コンテンツ取得部１１は、コンテンツのダウンロードを開始すると、ダウンロードを開始したことを示す開始情報及び、ダウンロードした音声データ及び映像データをコンテンツ出力部１２に出力する。
【００２２】
コンテンツ出力部１２は、コンテンツ取得部１１によりダウンロードしたコンテンツの音声データ及び映像データを出力する出力手段である。コンテンツ出力部１２は、コンテンツ取得部１１からの開始情報が入力されると、コンテンツ取得部１１がダウンロードしたコンテンツの音声データ及び映像データをコンテンツ評価装置１０の出力部１０６に順次再生し、出力を開始したことを示す情報をデータ取得部１３に出力する。
【００２３】
データ取得部１３は、コンテンツ出力部１２により出力されたコンテンツを視聴するユーザの状態を示すデータを取得するデータ取得手段である。データ取得部１３は、コンテンツ評価装置１０に内蔵されたマイクやカメラを含んで構成される。マイクはコンテンツを視聴するユーザの声などの音声データを取得する。カメラは、コンテンツ出力部１２と同じ側面に設けられ、コンテンツを視聴しているユーザの様子を示す映像データを取得する。ここで映像データは、動画像データに限定されず、ユーザの表情の変化を認識できれば、静止画データでもよい。データ取得部１３は、コンテンツ出力部１２からコンテンツの出力を開始したとの信号が入力されると、必要に応じてマイクやカメラの電源を入れ、上記データの取得を開始し、コンテンツの再生が終了するまで取得し続ける。データ取得部１３は、取得したデータを出力部１０６には表示せず、順次、笑い判定部１４に出力する。
【００２４】
笑い判定部１４は、データ取得部１３で取得されたデータに基づいて、ユーザが笑っている状態であるか否かを判定する判定手段である。この判定は、上述したコンテンツの出力、ユーザの状態を示すデータの取得とほぼ連動して行われる。笑いの判定方法としては、画像データによる場合、例えば、特開２００９−２９０８１９号の公報に記載の技術のように、カメラにより撮影された画像データに基づいてユーザの口角が上がったなどの変化を検出して判定する方法が挙げられる。一方、音声データによる場合、特開２００４−２４３０２３号の公報に記載の技術のように、マイクにより録音した音声データからある周波数帯域の信号を抽出する方法が挙げられる。但し、笑いの判定方法はこれらに限定されない。笑い判定部１４は、ユーザが笑っている状態であると判定すると、その情報を笑いカウント部１５に出力する。
【００２５】
笑いカウント部１５は、コンテンツを視聴するユーザが笑っている状態であると判定された回数をカウントするカウント手段である。笑いカウント部１５は、笑い判定部１４によりユーザが笑っている状態であると判定された回数をカウントするとともに、カウントしたタイミングを検出し、その判定回数とタイミングとを示す情報をカウント結果として評価出力部１６に出力する。タイミングを示す情報は、例えばコンテンツの出力開始からの経過時間（再生時間）を示す情報である。
【００２６】
評価出力部１６は、笑いカウント部１５により入力されたカウント結果をユーザによるコンテンツの評価として出力する評価出力手段である。評価出力部１６は、笑いカウント部１５からカウント結果が入力されると、順次、コンテンツ再生画面に入力されたカウント結果をコンテンツ評価として表示するとともに、サーバＳにカウント結果を送信する。評価出力部１６は、カウント結果とコンテンツを特定する情報であるコンテンツのファイル名とを関連付けた状態で、サーバＳに送信する。
【００２７】
コンテンツ再生中のコンテンツ再生画面に、ユーザによるコンテンツ評価を表示した例を図３に示す。図３中のＡは、動画の再生位置を示すタイムバーであり、現在の再生位置はＢである。図３に示すように、タイムバーＡの下には、ユーザが笑ったタイミングを示すマークが表示されており、コンテンツ再生画面の下部には、ユーザがこれまで笑った回数が表示されている。このため、ユーザは入力しなくてもコンテンツを視聴しているだけでコンテンツの評価ができる。
【００２８】
図４は、本実施形態のコンテンツ評価装置１０での処理を示すフローチャートである。以下、図４に示すフローチャートを用いて、コンテンツ評価装置１０において実行される処理を説明すると共に、本実施形態に係るコンテンツ評価表示方法について説明する。
【００２９】
本処理では、ユーザによりコンテンツが選択されると、コンテンツ取得部１１がサーバＳからそのコンテンツのダウンロードを開始する（Ｓ０１）。そしてコンテンツ出力部１２がコンテンツ取得部１１によってダウンロードされたコンテンツを順次再生し始める（Ｓ０２、出力ステップ）。次いで、データ取得部１３がコンテンツ評価装置１０に内蔵するカメラ及びマイクの電源を入れ、コンテンツを視聴するユーザの状態を示すデータの取得を開始する（Ｓ０３、データ取得ステップ）。
【００３０】
続いて、データ取得部１３により取得されたユーザの状態を示すデータに基づいて、笑い判定部１４はコンテンツを視聴するユーザが笑っている状態であるか否かの判定を開始する（Ｓ０４、判定ステップ）。笑い判定部１４が上記状態であると判定すると（Ｓ０５）、笑いカウント部１５は、上記状態と判定された回数をカウントするとともにそのタイミングを検出し、判定された回数とそのタイミングをカウント結果として評価出力部１６に出力する（Ｓ０６、カウントステップ）。
【００３１】
次いで、評価出力部１６は、笑いカウント部１５により入力されたカウント結果をコンテンツ評価としてコンテンツ再生画面に表示する（Ｓ０７、評価出力ステップ）。コンテンツ評価の表示後にコンテンツの再生が継続している場合（Ｓ０８；ＹＥＳ）、データ取得部１３及び笑いカウント部１４は、継続してそれぞれの処理を実行し続ける。一方、コンテンツ評価の表示後にコンテンツの再生が終了した場合（Ｓ０８；ＮＯ）、データ取得部１３及び笑い判定部１４は、それぞれの処理を終了し、評価出力部１６は最終的なカウント結果をコンテンツ評価としてサーバＳに送信する（Ｓ０９、評価出力ステップ）。このコンテンツ評価は、他のユーザが該コンテンツの視聴時に参考にする評価データとして用いられる。以上が、本実施形態に係るコンテンツ評価装置１０により実行される処理である。
【００３２】
以上説明したように、本実施形態のコンテンツ評価装置１０は、コンテンツを視聴するユーザの状態を示すデータを取得し、該データに基づいてユーザが笑っている状態であるか否かを判定し、笑っている状態であると判定された回数をカウントし、カウントされた結果をユーザによるコンテンツの評価として出力する。従って、コンテンツを視聴するユーザの状態を示すデータに基づいて、ユーザによるコンテンツの評価を自動的に出力できる。このため、ユーザは入力しなくてもコンテンツを視聴しているだけでコンテンツの評価ができる。
【００３３】
特に、本実施形態では、笑いカウント部１５は、ユーザが笑っている状態であると判定された回数をカウントするとともに、カウントしたタイミングを検出して、評価出力部１６は、笑いカウント部１５により検出された結果を評価として出力する。この場合、ユーザが視聴したコンテンツのどの部分が面白いかを自動的に出力できる。
【００３４】
また、本実施形態のコンテンツ評価装置１０のデータ取得部１３は、音声取得装置及び映像装置である。この場合、コンテンツ視聴時の音声データ及び映像データに基づいて、ユーザによるコンテンツの評価を自動的に出力できる。更に、本実施形態のコンテンツ評価は、ユーザが笑っている状態であるか否かに基づいて行われる。コンテンツ再生中にユーザがどの程度笑ったかをカウントすることで、該コンテンツがユーザにとってどのくらい面白かったかを自動的に出力できる。
【００３５】
以上、本発明のその実施形態に基づいて詳細に説明した。しかし、本発明は上記実施形態に限定されるものではない。本発明は、その要旨を逸脱しない範囲で以下のような様々な変形が可能である。
【００３６】
本実施形態では、コンテンツ再生画面中のタイムバーＡにユーザが笑ったことを示すマークのみが表示されているが、他のユーザが笑った情報も併せて表示してもよい。この場合、サーバＳからコンテンツをダウンロードする時に、そのコンテンツの評価データも併せてダウンロードする。図５に、他のユーザが笑ったタイミングを表示したコンテンツ再生画面の例を示す。図５に示すように、コンテンツ再生画面の上部には、動画のタイトルやこれまで動画を試聴したユーザの人数、ユーザが笑った平均回数が表示されている。タイムバーＡには、ユーザが笑ったタイミングを示すマークに加えて、他のユーザが笑ったタイミングを示すマークがユーザのものとは異なるマークで表示されている。他のユーザが笑ったタイミングを表示ことで、本コンテンツを視聴するユーザは、面白いタイミングまで早送りすることが可能になる。
【００３７】
更に、ユーザが笑っている状態と判定された回数ではなく、上記状態であると判定された長さに基づいてコンテンツを評価しても構わない。この場合も、上記状態と判定された長さとそのタイミングをコンテンツの評価として出力すれば、ユーザが視聴したコンテンツのどの部分が面白いかを自動的に出力できる。
【００３８】
本実施形態のコンテンツは、音声データ及び映像データを含んでいるが、音声データを含まない映像データのみのコンテンツに対する評価も可能である。この場合、そのコンテンツを閲覧するユーザの状態に基づいて、コンテンツの評価を実行する。映像データのみのコンテンツとは、例えば、音声データを含まない文章データ又は静止画データのみからなるコンテンツが挙げられる。逆に、音声データのみからなるコンテンツを評価することもできる。この場合、コンテンツを傾聴するユーザの状態を示すデータに基づいてコンテンツの評価を実行できる。
【００３９】
ユーザが笑っている状態であるか否かの判定は、コンテンツを再生しながら行うのではなく、コンテンツの再生が終了したタイミングで一気に行ってもよい。この場合、コンテンツを視聴しているユーザのコンテンツ評価は、そのコンテンツの再生中に表示されない。また、コンテンツ再生画面へのコンテンツ評価の表示やサーバＳへのコンテンツ評価の送信は、その評価を行ったユーザにそれぞれの処理を実行するか否かを選択する機会を与え、ユーザが実行することを選択した上で進めてもよい。
【００４０】
コンテンツの再生、及びカメラとマイクの電源を入れるタイミングは、本実施形態に限定されない。例えば、コンテンツのダウンロードが終了した時点で、コンテンツの再生を開始してもよい。また、カメラなどの電源を入れるのは、コンテンツのダウンロードを開始する前に実行しても構わない。また、コンテンツを視聴するユーザの状態を示すデータは、カメラとマイクの両方を用いて取得する必要はなく、カメラのみあるいはマイクのみでもよい。
【００４１】
また、コンテンツの評価は、ユーザが笑っている状態であるか否かに基づいて実行されなくてもよい。ユーザの状態が音声データや映像データで認識できればどのような状態に基づいてコンテンツを評価しても構わない。例えば、コンテンツを視聴しているユーザが驚いている状態又は悲しんでいる状態であるか否かを判定し、コンテンツの評価結果として出力してもよい。
【符号の説明】
【００４２】
１０…コンテンツ評価装置、１１…コンテンツ取得部、１２…コンテンツ出力部、１３…データ取得部、１４…笑い判定部、１５…笑いカウント部、１６…評価出力部。
【図１】
2011215895.tif 000003
【図２】
2011215895.tif 000004
【図３】
2011215895.tif 000005
【図４】
2011215895.tif 000006
【図５】
2011215895.tif 000007